(57)【要約】      （修正有）【課題】六角レンチを取り出したり収納したりすることが容易にできる六角レンチ収納ホルダ構造を提供する。【解決手段】六角レンチ収納ホルダ構造は、六角レンチ２０を収納するレンチ収納ホルダユニット１０を含む。レンチ収納ホルダユニット１０は、第１の収納ホルダ１１及び第２の収納ホルダ１２を含む。第１の収納ホルダ１１及び第２の収納ホルダ１２は、異なるサイズを有して配列された楕円形の収納孔１３を有する。収納孔１３は上下対称に設けられ、収納孔１３の軸方向の端部には、テーパー状の傾斜面１３２が形成される。収納孔１３内には、２つの係合部１３１が左右対称に設けられる。係合部１３１は、第１のリブ１３１１及び第２のリブ１３１２を含む。六角レンチ２０の接触面２１が第１のリブ１３１１及び第２のリブ１３１２にそれぞれ係合されると、六角レンチ２０が位置決めされる。【選択図】図２
0003178001.tif 000002
【実用新案登録請求の範囲】
【請求項１】
六角レンチを収納するレンチ収納ホルダユニットを含む六角レンチ収納ホルダ構造であって、
前記レンチ収納ホルダユニットは、第１の収納ホルダ及び第２の収納ホルダを含み、前記第１の収納ホルダ及び前記第２の収納ホルダは、異なるサイズを有して配列された楕円形の収納孔を有し、前記収納孔は上下対称に設けられ、前記収納孔の軸方向の端部には、テーパー状の傾斜面が形成され、前記収納孔内には、２つの係合部が左右対称に設けられ、前記係合部は、第１のリブ及び第２のリブを含み、前記六角レンチの接触面が前記第１のリブ及び前記第２のリブにそれぞれ係合されると、前記六角レンチが位置決めされ、
前記係合部により前記収納ホルダ内に位置決めされた前記六角レンチを、前記傾斜面に当接させながら６０度回転させると、前記接触面が前記係合部から完全に外れ、前記傾斜面の軸方向で前記六角レンチを抜き出すことが可能となることを特徴とする六角レンチ収納ホルダ構造。
【請求項２】
前記レンチ収納ホルダユニットは、射出により一体成形されることを特徴とする請求項１に記載の六角レンチ収納ホルダ構造。
【請求項３】
前記レンチ収納ホルダユニットは、柔軟性材料から成ることを特徴とする請求項１に記載の六角レンチ収納ホルダ構造。
【請求項４】
前記第１のリブから前記第２のリブまでの距離は、前記接触面より大きいことを特徴とする請求項１に記載の六角レンチ収納ホルダ構造。
【考案の詳細な説明】
【技術分野】
【０００１】
本考案は、六角レンチ収納ホルダ構造に関し、特に、六角レンチを取り出したり収納したりすることができる六角レンチ収納ホルダ構造に関する。
【背景技術】
【０００２】
従来から、六角レンチは幅広く大衆に使用されており、一般にツールボックスは、その中に様々なサイズの六角レンチが収納され、六角レンチの携帯に便利であるために、六角レンチのツールボックスは実用性が高く、多くの消費者に好まれて購買・使用されている。
【０００３】
従来の六角レンチの収納ホルダには、円形状の挿入孔が設けられ、各サイズの六角レンチは、その孔径のサイズに応じて孔内に挿入することが可能である。一般には、まず小さなサイズの六角レンチを挿入してから次第に大きなサイズの六角レンチを順次挿入するとともに、各六角レンチの折り曲げ部を同じ方向へ揃えることにより、便利に携帯して使用したり保管したりすることができる。
【０００４】
しかし、従来の収容ホルダは、六角レンチの折り曲げ部分を同じ方向へ揃えて収納するため、取り出すのが不便である。例えば、小さいサイズの六角レンチを取り出す場合、大きいサイズの六角レンチを回転させてその折り曲げ部分を起こして小さいサイズの六角レンチが邪魔にならないようにしなければ、六角レンチを取り出すことができない。
【０００５】
また、六角レンチを使用し終わり、再び収容ホルダに挿入する場合、大きいサイズの六角レンチを回転させて折り曲げ部分を同じ方向へ揃えて収納する必要があるため非常に面倒である。そのため、小さいサイズの六角レンチを取り出すには、大きいサイズの六角レンチが多いほど、取り出したり収納したりするのが面倒である。
【０００６】
上述した如き従来技術の問題点に鑑みて、六角レンチの設計及び製造に長年携わった本考案者の経験に基づき、従来の六角レンチ収納ホルダでは、六角レンチを取り出したり収納したりすることが容易でないという問題点を解決し、六角レンチを取り出したり収納したり位置決めしたりすることができる六角レンチ収納ホルダ構造が求められていた。
【考案の概要】
【考案が解決しようとする課題】
【０００７】
本考案は、各々の六角レンチを確実に収納して位置決めさせることができるため、緩んで外れる虞れがない上、特定の六角レンチを取り出すために隣接した六角レンチを回転させる必要がなく、ユーザは所望の六角レンチを直接回転させて前へ引き出すだけで取り出すことができる六角レンチ収納ホルダ構造を提供することを課題とする。
【課題を解決するための手段】
【０００８】
上記課題を解決するために、本考案の第１の形態によれば、六角レンチを収納するレンチ収納ホルダユニットを含む六角レンチ収納ホルダ構造において、前記レンチ収納ホルダユニットは、第１の収納ホルダ及び第２の収納ホルダを含み、前記第１の収納ホルダ及び前記第２の収納ホルダは、異なるサイズを有して配列された楕円形の収納孔を有し、前記収納孔は上下対称に設けられ、前記収納孔の軸方向の端部には、テーパー状の傾斜面が形成され、前記収納孔内には、２つの係合部が左右対称に設けられ、前記係合部は、第１のリブ及び第２のリブを含み、前記六角レンチの接触面が前記第１のリブ及び前記第２のリブにそれぞれ係合されると、前記六角レンチが位置決めされ、前記係合部により前記収納ホルダ内に位置決めされた前記六角レンチを、前記傾斜面に当接させながら６０度回転させると、前記接触面が前記係合部から完全に外れ、前記傾斜面の軸方向で前記六角レンチを抜き出すことが可能となることを特徴とする六角レンチ収納ホルダ構造が提供される。
【０００９】
前記レンチ収納ホルダユニットは、射出により一体成形されることが好ましい。
【００１０】
前記レンチ収納ホルダユニットは、柔軟性材料から成ることが好ましい。
【００１１】
前記第１のリブから前記第２のリブまでの距離は、前記接触面より大きいことが好ましい。
【考案の効果】
【００１２】
本考案の六角レンチ収納ホルダ構造は、各々の六角レンチが確実に収納されて位置決めされるため、緩んで外れることがない上、特定の六角レンチを取り出すために隣接した六角レンチを回転させる必要もなく、ユーザは所望の六角レンチを直接回転させて前へ引き出すだけで六角レンチを取り出すことができる。
【図面の簡単な説明】
【００１３】
【図１】本考案の一実施形態に係る六角レンチ収納ホルダ構造を示す斜視図。
【図２】本考案の一実施形態に係る六角レンチ収納ホルダ構造を示す分解斜視図。
【図３】本考案の一実施形態に係る六角レンチ収納ホルダ構造の六角レンチがまだ回転されていないときの状態を示す部分拡大図。
【図４】本考案の一実施形態に係る六角レンチ収納ホルダ構造の六角レンチを時計回りで回転させるときの状態を示す部分拡大図。
【図５】本考案の一実施形態に係る六角レンチ収納ホルダ構造の六角レンチを時計回りに６０度回転させたときの状態を示す部分拡大図。
【図６】図３の六角レンチがまだ回転されていないときの状態を示す断面図。
【図７】図５の六角レンチを時計回りに６０度回転させたときの状態を示す断面図。
【図８】六角レンチを係合部から外したときの状態を示す断面図。
【図９】六角レンチをレンチ収納ホルダから取り出したときの状態を示す断面図。
【考案を実施するための形態】
【００１４】
以下、本考案の六角レンチ収納ホルダ構造の実施形態について、図面を参照しながら説明する。
【００１５】
図１〜図９に示すように、本考案の一実施形態に係る六角レンチ収納ホルダ構造は、少なくともレンチ収納ホルダユニット１０を含む。
【００１６】
図１〜図３に示すように、レンチ収納ホルダユニット１０は、第１の収納ホルダ１１と、第２の収納ホルダ１２と、収納ホルダ上に設けられた複数の収納孔１３とを含む。第１の収納ホルダ１１上には、第２の収納ホルダ１２の枢着孔１２１に枢着される枢着ピン１１１が設けられ、第１の収納ホルダ１１と第２の収納ホルダ１２とが枢着ピン１１１及び枢着孔１２１を支点として開閉されるとともに、収納ホルダは、異なるサイズを有して配列された楕円形の収納孔１３を有する。
【００１７】
収納孔１３は上下対称に設けられ、収納孔１３の軸方向の端部には、テーパー状の傾斜面１３２が形成されている。また、収納孔１３内には、２つの係合部１３１が左右対称に設けられている。係合部１３１は、挿入した六角レンチ２０を位置決めするために用いる第１のリブ１３１１及び第２のリブ１３１２を含む。六角レンチ２０は、縁部を係合部１３１に一致させて着脱させることができ、六角レンチ２０を回転させて係合部１３１から外し、六角レンチを６０度回転させると係合部１３１から傾斜面１３２が完全に外れ、傾斜面１３２の軸方向で六角レンチ２０を抜き出すことができる。
【００１８】
図１〜図３に示すように、六角レンチ２０は、Ｌ字状のレンチであり、六角錐状の接触面２１を有する。接触面２１を収納孔１３の係合部１３１に係合させると、レンチ収納ホルダユニット１０に六角レンチ２０を安定的に位置決めさせることができる。
【００１９】
図３〜図９に示すように、本考案の一実施形態に係る六角レンチ収納ホルダ構造は、六角レンチ２０を収納孔１３に挿入すると、接触面２１が係合部１３１の第１のリブ１３１１及び第２のリブ１３１２にそれぞれ係合され、六角レンチ２０が回転されずに係合部１３１から分離された状態となる（図３及び図６参照）。
【００２０】
ユーザが六角レンチ２０を回転させて、第１のリブ１３１１及び第２のリブ１３１２に外力が加えられると、接触面２１が係合部１３１から外れ、六角レンチ２０が外れた状態となる（図４参照）。さらに六角レンチ２０を回転し続けると、六角レンチ２０と収納ホルダとのなす角度が６０度となり（図５及び図７参照）、収納孔１３内の対角位置に設けられた傾斜面１３２を利用し、収納孔１３内に挿入された六角レンチ２０を手前に引き、第２のリブ１３１２を介して係合させ、六角レンチ２０を傾斜面１３２へ密着させた後（図８参照）、外力を加えて係合部１３１から六角レンチ２０を外すと、レンチ収納ホルダユニット１０を容易に引き抜くことができる（図９参照）。
【００２１】
上述の如く、本実施形態のレンチ収納ホルダユニット１０は、第１の収納ホルダ１１及び第２の収納ホルダ１２により構成される。このレンチ収納ホルダユニット１０は、射出により一体成形され、柔軟性材料から成るため、接触面２１に外力を加えると、容易に係合部１３１から外したり係合部１３１へ係合させたりして開閉させることができるが、勿論、他の実施形態（図示せず）では、第１の収納ホルダ１１及び第２の収納ホルダ１２をそれぞれ単独で使用したりしてもよく、本考案の主旨と領域を逸脱しない範囲内で分離したり組み合わせたりしてもよい。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０…レンチ収納ホルダユニット、
１１…第１の収納ホルダ、
１２…第２の収納ホルダ、
１３…収納孔、
２０…六角レンチ、
２１…接触面、
１１１…枢着ピン、
１２１…枢着孔、
１３１…係合部、
１３２…傾斜面、
１３１１…第１のリブ、
１３１２…第２のリブ。
【図１】
0003178001.tif 000003
【図２】
0003178001.tif 000004
【図３】
0003178001.tif 000005
【図４】
0003178001.tif 000006
【図５】
0003178001.tif 000007
【図６】
0003178001.tif 000008
【図７】
0003178001.tif 000009
【図８】
0003178001.tif 000010
【図９】
0003178001.tif 000011